(57)【要約】【課題】緑化基盤を建物壁面の構築時に一体に設けた構造とすることで作業工程を減らし、しかも建物外観における緑化デザインの自由度を向上させた。【解決手段】緑化壁面構造１は、建物の外壁の内側に設けられたユニット用受け部材４と、所定の大きさに枠組みされた枠部材１１及び枠部材１１に収納された緑化基盤１２からなる緑化ユニット１０とを備えている。ユニット受け部材４に緑化ユニット１０がボルト５などの固定手段によって着脱可能に固定され、建物の外壁のコンクリート３に埋め込まれた状態で一体に設けられている。【選択図】図３
2007306845.tif 000002
【特許請求の範囲】
【請求項１】
建物の外壁の内側に設けられたユニット係止部と、
所定の大きさに枠組みされた枠部材及び前記枠部材に収納された緑化基盤からなる緑化ユニットと、
を備え、
前記ユニット係止部に前記緑化ユニットが固定手段によって着脱可能に固定され、前記建物の外壁のコンクリートに埋め込まれた状態で一体に設けられていることを特徴とする緑化壁面構造。
【請求項２】
前記緑化基盤と前記コンクリートとが接する面には、遮水性を有するシート部材が設けられていることを特徴とする請求項１に記載の緑化壁面構造。
【請求項３】
前記コンクリートには、前記緑化基盤に水を供給するための灌水管が埋め込まれていることを特徴とする請求項１又は２に記載の緑化壁面構造。
【請求項４】
前記緑化基盤の下面に接して排水管が設けられていることを特徴とする請求項１乃至３のいずれかに記載の緑化壁面構造。
【請求項５】
前記緑化ユニットは、前記建物の外壁を構成する外壁ＰＣ版に着脱可能に設けられていることを特徴とする請求項１乃至４のいずれかに記載の緑化壁面構造。
【発明の詳細な説明】
【技術分野】
【０００１】
本発明は、建物の壁面などを緑化する緑化壁面構造に関する。
【背景技術】
【０００２】
従来、都市部におけるヒートアイランド現象の緩和や大気の浄化、アメニティ空間の創出などを目的に、建物の壁面などの緑化が試みられている。緑化構造として、植栽基盤を壁面などに設置する構造が、例えば特許文献１及び特許文献２に開示されている。
特許文献１は、屋上やベランダなどの上方に固定されたワイヤーなどの支持部材を壁面に沿って吊り下げ、この支持部材の所定位置に植栽ユニットを設ける構造である。この植栽ユニットは、いわゆるプランターと同様に植物の植栽面を上向きにして例えば蔓性植物が植栽され、支持部材に沿わせるように誘導させたり、植栽ユニットから垂下させるものである。
特許文献２は、壁面に例えば棒状の鋼材からなるフレーム部材を壁面の任意の位置に設置しておき、枠体に土壌及びコケやセダム等の植物を組み込んで構成したユニット型の植栽基盤をフレーム部材に取り付けたものである。
【特許文献１】特開２００４−２４８５５０号公報
【特許文献２】特開２００２−３０５９６２号公報
【発明の開示】
【発明が解決しようとする課題】
【０００３】
しかしながら、特許文献１は、植栽ユニットが屋上から吊り下げた支持部材に植物を沿わせて緑化させる構成であり、例えば商用の建物において建物外観のイメージを変更したい場合に、他の植物に取り替える作業が大掛かりとなるうえ、蔓性植物に限定されることから、緑化デザインの自由度が低いという欠点があった。
また、特許文献２の植栽基盤は、予め先行して建物の壁面などにフレーム部材を一体に組み付けておき、建物の外壁の施工が完了した後に、フレーム部材に植栽基盤を設置する作業が発生し、作業工程が増えることから、コストがかかるといった問題があった。
【０００４】
本発明は、上述する問題点に鑑みてなされたもので、緑化基盤を建物壁面の構築時に一体に設けた構造とすることで作業工程を減らし、しかも建物外観における緑化デザインの自由度を向上させた緑化壁面構造を提供することを目的とする。
【課題を解決するための手段】
【０００５】
上記目的を達成するため、本発明に係る緑化壁面構造は、建物の外壁の内側に設けられたユニット係止部と、所定の大きさに枠組みされた枠部材及び枠部材に収納された緑化基盤からなる緑化ユニットとを備え、ユニット係止部に緑化ユニットが固定手段によって着脱可能に固定され、建物の外壁面のコンクリートに埋め込まれた状態で一体に設けられていることを特徴としている。
本発明では、ボルトなどの固定手段を用いて緑化ユニットをユニット係止部に着脱できる構造であるため、緑化デザインを変更して建物の外観を変えたい場合に緑化ユニットの取り替え作業を容易に行うことができる。また、緑化ユニットは、建物の外壁の構築時に外壁のコンクリートに一体に設けられることから、設置作業を簡略化させて作業工程を減らすことができる。
【０００６】
また、本発明に係る緑化壁面構造では、緑化基盤とコンクリートとが接する面には、遮水性を有するシート部材が設けられていることが好ましい。
本発明では、緑化ユニットがシート部材によって覆われてコンクリートから遮断された状態とすることができる。そのため、緑化基盤は、コンクリートからのアルカリの影響を防止できると共に、コンクリートに接着した状態ではないので容易に着脱することもできる。
【０００７】
また、本発明に係る緑化壁面構造では、コンクリートには、緑化基盤に水を供給するための灌水管が埋め込まれていることが好ましい。
本発明では、灌水管から緑化基盤に水が供給され、その水を緑化基盤の全体にわたって均一に浸透させることができる。
【０００８】
また、本発明に係る緑化壁面構造では、緑化基盤の下面に接して排水管が設けられていることが好ましい。
本発明では、緑化基盤を通過した水を緑化基盤の下面に接する排水管から排水することができ、さらにその排水管から１つ下の緑化基盤へ水を供給することができる。
【０００９】
また、本発明に係る緑化壁面構造では、緑化ユニットは、建物の外壁を構成する外壁ＰＣ版に着脱可能に設けられていることが好ましい。
本発明では、緑化ユニットを埋め込んだ状態で建物の外壁を構成する外壁ＰＣ版を例えば工場などで製作しておき、この外壁ＰＣ版を現場で組み立てることで緑化壁面構造を構築することができる。
【発明の効果】
【００１０】
本発明の緑化壁面構造によれば、緑化ユニットが取り外し可能な構成であり、ボルトなどの固定手段を用いて緑化ユニットをユニット係止部に着脱できる構造であるため、緑化ユニットの取替え作業が容易となり、壁面における緑化デザインの自由度を向上させることができる。
また、緑化ユニットを建物の外壁の構築時に一体に設ける構造であることから、従来のように外壁の施工完了後に緑化ユニットを取り付ける場合と比べて、設置作業を簡略化させて作業工程を減らすことができるため、労務費などのコストの低減を図ることができる。
【発明を実施するための最良の形態】
【００１１】
以下、本発明の第一の実施の形態による緑化壁面構造について、図１乃至３に基づいて説明する。
図１は第一の実施の形態による緑化壁面構造を建物の外壁面に設置した状態を示す正面図、図２は図１に示す緑化壁面構造を拡大した正面図、図３は図２に示す緑化壁面構造のＡ−Ａ線断面図である。
【００１２】
図１に示すように、本第一の実施の形態による緑化壁面構造１は、コンクリート３を打設してなる建物の外壁面２に、ユニット型の薄層をなす緑化ユニット１０を埋め込んだものである。この緑化ユニット１０は、外壁面２より内側の所定位置に配置されているユニット用受け部材４（ユニット係止部）（図３参照）にボルト５などの固定手段によって取り付けられ、外壁面２と一体に構築されている。
【００１３】
図２及び図３に示すように、緑化ユニット１０は、略箱状に枠組みされた枠部材１１と、枠部材１１の内空に収納された緑化基盤１２とからなる。緑化ユニット１０を構成する枠部材１１は、周縁部が例えば断面視Ｌ型形状をなす周縁鋼材１３で枠組みされ、その周縁鋼材１３同士に囲まれた周面には任意の網目寸法を有する金網部材１４が配されている。そして、周縁鋼材１３の上部横材（固定部１３ａ）には所定の箇所にボルト孔（図示省略）が形成されている。
なお、枠部材１１は、後述するが、緑化基盤１２を交換できるように組み立て可能に組み付けられていることが好ましい。
【００１４】
金網部材１４は、例えばステンレス製、軽量なポリエチレン製、ナイロン製などの材料の線状部材を格子状に形成させたものであり、適宜な箇所で周縁鋼材１３に固着或いは取り外し可能に固定されている。金網部材１４の網目の大きさは、任意とされるが、枠部材１１の内部に収納されている緑化基盤１２が外れたり落下したりしないように配置できる大きさであることが好ましい。
【００１５】
緑化基盤１２には、例えば、特開２００２−１１９１３０号公報に記載されている基材、即ちパーライトなどの無機質発泡体に熱融着性繊維を配合させて熱処理により固化してなる培土基盤を採用することができる。この固化された培土基盤は、熱融着性を有する繊維同士の接着と繊維及び無機質発泡体の接着とがなされて三次元の網状の補強構造が得られ、特別な枠材や袋などによって周囲を覆う必要がなくその形状を保つことができるため、風などの影響による飛散を防ぐことができる。さらに、培土基盤は、主成分をなす無機質発泡体の単位体積当り重量が例えば０．５ｋｇ／リットル以下となるため、軽量且つ適度な保水性能と排水性能を有している。
なお、本実施の形態に使用される緑化基盤１２は、予め枠部材１１に収まるような大きさに固化させて形成しておく。また、持ち運びが容易となるように複数に分割しておいてもよい。
【００１６】
図３に示すように、ユニット用受け部材４は、例えば断面Ｌ字型の鋼材であり、外壁のコンクリート３を打設する前に、コンクリート３内に設けられる鉄筋Ｒに固定されていて外壁面２の内側に埋め込まれている。このユニット用受け部材４には、任意の箇所にボルト孔（図示省略）が形成されている。そして、周縁鋼材１３の固定部１３ａをユニット用受け部材４にボルト５によって固定させることで、緑化ユニット１０が外壁面２に取り付けられることになる。
【００１７】
また、図３に示すように、緑化ユニット１０とコンクリート３とが接触する面には、ポリマーシートなどの遮水性を有する材料からなるシート部材６が設けられている。すなわち、緑化ユニット１０は、シート部材６によって覆われて、コンクリート３から遮断された状態となっている。これにより、緑化基盤１２は、コンクリート３からのアルカリの影響を防止することができると共に、コンクリート３に接着した状態ではないので容易に着脱することもできる。
なお、コンクリート３のアルカリの影響を軽減するためには、緑化基盤１２の培土自体にゼオライトなどの緩衝材料を配合して、酸やアルカリに対する緩和効果を高めるようにしてもよい。
【００１８】
また、図２及び図３に示すように、外壁内に配置された緑化基盤１２には、緑化基盤１２の上面に接するようにしてメッシュ管７が埋め込まれている。ここで、このメッシュ管７は、例えば水を浸透させて通過させることができ、コンクリート３は通過させることができない程度の網目寸法のものを使用する。そして、メッシュ管７内には、灌水管８が挿通されている。そして、メッシュ管７を介して緑化基盤１２に水を供給することができる。また灌水管８は、適宜な長さで分割されていて、例えば端部同士を嵌合させるようにして連通することができ、灌水管８の交換も容易な構造をなしている。さらに、灌水管８に例えば液肥混合装置を付けることで施肥を実施することができる。
【００１９】
また、図１に示すように、緑化基盤１２の上下面１２ａ、１２ｂには、緑化基盤１２に接するようにして排水管９が上下方向に延設して埋め込まれている。図２及び図３に示すように、この排水管９の下端部９ａを、排水管９の下方のメッシュ管７と接触させることで、上部の緑化ユニット１０の排水を下部の緑化ユニット１０の灌水として再利用させることができる。なお、排水管９の取り付け位置は、図３に示すように緑化基盤１２の奥行き側に配置されている。そのため、緑化基盤１２内を上から下に浸透した水を排水管９に誘導できるように、緑化基盤１２の下面１２ｂは奥行き方向に下方に傾斜させて設けられている。  
【００２０】
灌水管８及び排水管９は、緑化ユニット１０毎に連結されている（図1参照）。これにより、緑化基盤１２は、上方の灌水管８からメッシュ管７を介して水が供給される。そして、その水は緑化基盤１２の全体にわたって均一に浸透し、余剰水は緑化基盤１２の下面に接する排水管９から排水され、その排水管９からさらに１つ下の緑化基盤１２へその余剰水を供給することができる。
また、灌水管８の水は、タイマーなどを使用して自動で灌水することも可能である。
【００２１】
次に、本緑化壁面構造１の設置方法について図面に基づいて説明する。
図２及び図３に示すように、上述した緑化壁面構造１は、建物の外壁の施工の進捗と共に同時に施工されるものである。すなわち、予め、外壁の鉄筋Ｒにユニット用受け部材４を溶接や結束線などで固定し、このユニット用受け部材４に緑化ユニット１０の上端部（枠部材１１の上部横材１３ａ）をボルト５で固定する。このとき、緑化ユニット１０は、コンクリート３が接するとされる面に遮水性を有するシート部材６で覆っておく。さらに、メッシュ管７、灌水管８、排水管９をそれぞれ所定の位置に配置する。この際、各管７、８、９に打設したコンクリート３が入って目詰まりしないように開口状態の端部に詰め物をするなど養生しておくことが好ましい。
次いで、図２に示す二点鎖線のように、外壁の両面に型枠２０、２１を取り付け、所定範囲（例えば、１フロアー毎）の打設を行う。そして、ここまでの工程を繰り返すことで、緑化ユニット１０と一体化した緑化壁面構造１が建物の外壁全体に構築される。その後、緑化基盤１２に例えば植物の苗を植え込むことで緑化が完成する。
【００２２】
上述した本第一の実施の形態による緑化壁面構造では、緑化ユニット１０が取り外し可能な構成であり、ボルト５などの固定手段を用いて緑化ユニット１０をユニット用受け部材４に着脱できる構造であるため、緑化ユニット１０の取替え作業が容易となり、壁面における緑化デザインの自由度を向上させることができる。
また、緑化ユニット１０を建物の外壁の構築時に一体に設ける構造であることから、従来のように外壁の施工完了後に緑化ユニットを取り付ける場合と比べて、設置作業を簡略化させて作業工程を減らすことができるため、労務費などのコストの低減を図ることができる。
さらに、植物が枯れた際などにも緑化ユニット１０ごとに交換することができ、メンテナンスのし易さが向上される。
【００２３】
次に、本発明による緑化壁面構造の第二の実施の形態について、図４及び図５に基づいて説明するが、上述の第一の実施の形態と同一又は同様な部材、部分には同一の符号を用いて説明を省略し、第一の実施の形態と異なる構成について説明する。
図４は本発明の第二の実施の形態による緑化壁面構造を示す正面図、図５は図４に示す緑化壁面構造のＢ−Ｂ線断面図である。
図４及び図５に示すように、第二の実施の形態における緑化壁面構造１は、第二緑化ユニット４０を埋め込んだ状態で建物の外壁を構成するプレキャストコンクリート版（外壁ＰＣ版３０）を工場などで製作しておき、この外壁ＰＣ版３０を現場で組み立てて構築されるものである。
【００２４】
図５に示すように、第二緑化ユニット４０は、金網部材１４からなる枠部材１５に緑化基盤１２が収納されたものである。金網部材１４の上下端には、外方に突出してなる金網係止部１４ａ、１４ｂが形成されている。外壁ＰＣ版３０は、第二緑化ユニット４０を嵌合させる空間３２を形成させて図示しない型枠などを使用して製造され、その空間３２の上下端部には、灌水管８及び排水管９を挿通させると共に、第二緑化ユニット４０の金網係止部１４ａ、１４ｂを係止させるためのユニット取付凹部３１、３１（ユニット係止部）が形成されている。
【００２５】
そして、第二緑化ユニット４０は、金網係止部１４ａ、１４ｂを外壁ＰＣ版３０のユニット取付凹部３１、３１に差し込むようにして係止させ、第二緑化ユニット４０の任意の箇所でボルト５などの固定手段によって固定されている。また、外壁ＰＣ版３０の第二緑化ユニット４０側の面には、断面視溝型状に形成された保水溝部３３が適宜数形成されている。本緑化壁面構造１では、灌水管８から緑化基盤１２に供給された水を保水溝部３３の溝部で溜めておくことができる。
第二の実施の形態による緑化壁面構造１では、第二緑化ユニット４０が外壁ＰＣ版３０に対して着脱できる構成であることから、第一の実施の形態と同様に第二緑化ユニット４０の取替え作業が容易となり、壁面における緑化デザインの自由度を向上させることができる。また、設置作業を簡略化させて作業工程を減らす効果を得ることができる。
【００２６】
以上、本発明の第一及び第二の実施の形態による緑化壁面構造について説明したが、本発明は上記の第一及び第二の実施の形態に限定されるものではなく、その趣旨を逸脱しない範囲で適宜変更可能である。
例えば、第一及び第二の実施の形態では緑化基盤１２に固化した培土基盤を採用しているが、これに限定されることはなく例えば袋に土壌を詰め込んだものであってもよい。
また、本第一の実施の形態では周縁鋼材１３と金網部材１４とから構成されている枠部材１１としているが、これに限らず、例えば金網部材のみの枠部材であってもかまわない。要は簡易な構成により緑化基盤１２を保持されるように構成されていればよいのである。
さらに、本第一の実施の形態では緑化壁面構造１の設置方法として、コンクリート３の打設前に外壁の内側に緑化ユニット１０を配置しておき、その後でコンクリート３を打設して設置するものであるが、他の設置方法として、例えば緑化ユニット１０が配置される箇所に発泡スチロールなどの嵌込み部材を配置してコンクリート３を打設し、打設後に嵌込み部材を取り除き、その空間に緑化ユニット１０を埋め込むようにしてもかまわない。
勿論、ユニット用受け部材４及び緑化ユニット１０の形状、大きさ、取付け位置など具体的な構成その他は、実施するべき作業内容や作業条件を考慮して最適となるように設計すれば良い。
【図面の簡単な説明】
【００２７】
【図１】第一の実施の形態による緑化壁面構造を建物の外壁面に設置した状態を示す正面図である。
【図２】図１に示す緑化壁面構造を拡大した正面図である。
【図３】図２に示す緑化壁面構造のＡ−Ａ線断面図である。
【図４】本発明の第二の実施の形態による緑化壁面構造を示す正面図である。
【図５】図４に示す緑化壁面構造のＢ−Ｂ線断面図である。
【符号の説明】
【００２８】
１  緑化壁面構造
２  外壁面
３  コンクリート
４  ユニット用受け部材（ユニット係止部）
５  ボルト（固定手段）
６  シート部材
８  灌水管
９  排水管
１０  緑化ユニット
１１、１５  枠部材
１２  緑化基盤
３０  外壁ＰＣ版
３１  ユニット取付凹部（ユニット係止部）
４０  第二緑化ユニット
【図１】
2007306845.tif 000003
【図２】
2007306845.tif 000004
【図３】
2007306845.tif 000005
【図４】
2007306845.tif 000006
【図５】
2007306845.tif 000007